(57)【要約】【課題】回転軸系を回転自在に支承し、スクイズフィルムダンパを備える軸受装置において、回転軸系に対するスクイズフィルムダンパの減衰効果を向上させる。【解決手段】一実施形態に係る軸受装置は、回転軸を回転自在に支持するための軸受部と、前記軸受部の外周側に設けられ、少なくとも一つの油膜形成隙間を挟んで互いに対向するインナリング及びアウタリング含むスクイズフィルムダンパと、前記スクイズフィルムダンパの軸方向両端面に設けられ、前記アウタリングの軸方向両端面との間で前記油膜形成隙間に連通する油排出路を形成するサイドプレートと、を備え、前記油排出路は絞り部を有する。【選択図】図２
2019100414.tif 000002
【特許請求の範囲】
【請求項１】
回転軸を回転自在に支持するための軸受部と、
前記軸受部の外周側に設けられ、少なくとも一つの油膜形成隙間を挟んで互いに対向するインナリング及びアウタリング含むスクイズフィルムダンパと、
前記スクイズフィルムダンパの軸方向両端面に設けられ、前記アウタリングの軸方向両端面との間で前記油膜形成隙間に連通する油排出路を形成するサイドプレートと、
を備え、
前記油排出路は絞り部を有することを特徴とする軸受装置。
【請求項２】
前記絞り部は、前記油排出路に設けられるシールリングで構成されることを特徴とする請求項１に記載の軸受装置。
【請求項３】
前記シールリングは前記サイドプレートの前記油排出路を形成する壁面に形成された凹部に収容されることを特徴とする請求項２に記載の軸受装置。
【請求項４】
前記シールリングは弾性体で構成されることを特徴とする請求項２又は３に記載の軸受装置。
【請求項５】
前記サイドプレートと前記インナリングの軸方向両端面との間に設けられた圧電素子を備え、
前記圧電素子は、前記サイドプレートを前記インナリングに対して前記インナリングの軸方向に動かすことで、前記絞り部の絞り度を調節可能に構成されることを特徴とする請求項１乃至４の何れか一項に記載の軸受装置。
【請求項６】
前記サイドプレートは前記インナリングの軸方向両端面に固定され、
前記回転軸の振動レベルを検出可能なセンサと、
前記センサで検出した前記振動レベルを周波数解析するための周波数解析器と、
を備え、
前記周波数解析器で得られた振動周波数が前記回転軸の回転周波数の倍数以外の該振動周波数を含むとき、前記スクイズフィルムダンパの機能が異常をきたしていると判定することを特徴とする請求項１乃至５の何れか一項に記載の軸受装置。
【請求項７】
前記インナリングと前記アウタリングとの間に周方向に離散的に設けられた弾性部を備え、
前記センサが前記弾性部に設けられた歪ゲージで構成されることを特徴とする請求項６に記載の軸受装置。
【請求項８】
前記センサが前記インナリングに設けられた加速度センサで構成されることを特徴とする請求項６に記載の軸受装置。
【請求項９】
前記油排出路を形成する前記サイドプレートの壁面が前記アウタリングの前記軸方向両端面に外側ほど徐々に接近するように形成され、
前記絞り部は前記壁面の外側先端部で形成されていることを特徴とする請求項１乃至８の何れか一項に記載の軸受装置。
【請求項１０】
前記インナリングと前記アウタリングとの間に周方向に離散的に設けられた弾性部を備えることを特徴とする請求項１乃至９の何れか一項に記載の軸受装置。
【請求項１１】
前記軸受部はティルティングパッドを含むことを特徴とする請求項１乃至１０の何れか一項に記載の軸受装置。
【請求項１２】
前記軸受部は転がり軸受を含むことを特徴とする請求項１乃至１０の何れか一項に記載の軸受装置。
【請求項１３】
前記回転軸と、
請求項１乃至１２の何れか一項に記載の軸受装置と、
を備えることを特徴とする回転機械。
【発明の詳細な説明】
【技術分野】
【０００１】
本開示は、軸受装置及び該軸受装置を備える回転機械に関する。
【背景技術】
【０００２】
コンプレッサや蒸気タービン等の回転機械においては、回転軸系の安定支持が課題の一つとなっている。この課題を解決するためには、回転軸を支持する軸受部の支持特性（減衰、剛性等）を向上させることが効果的であり、この観点からの検討がなされている。
特許文献１には、インナリングとアウタリングとの間に形成された隙間に油が供給され、回転軸から付加される荷重に応じて上記隙間が変位するとき、粘性をもった非圧縮性の油が該隙間を流動することで、回転軸の振動などを減衰する効果を生じさせるスクイズフィルムダンパが開示されている。
【先行技術文献】
【特許文献】
【０００３】
【特許文献１】米国特許第５４２１６５５号明細書
【発明の概要】
【発明が解決しようとする課題】
【０００４】
スクイズフィルムダンパにおいては、油膜形成隙間からの油排出量によって回転軸の振動などに対する減衰効果が異なってくる。現状では、減衰効果を高めるための油排出部の構成について詳細な検討はなされておらず、そのため、一定以上の減衰効果を得ることができない。
【０００５】
一実施形態は、回転軸系を回転自在に支承し、スクイズフィルムダンパを備える軸受装置において、回転軸系に対するスクイズフィルムダンパの減衰効果を向上させることを目的とする。
【課題を解決するための手段】
【０００６】
（１）一実施形態に係る軸受装置は、
回転軸を回転自在に支持するための軸受部と、
前記軸受部の外周側に設けられ、少なくとも一つの油膜形成隙間を挟んで互いに対向するインナリング及びアウタリング含むスクイズフィルムダンパと、
前記スクイズフィルムダンパの軸方向両端面に設けられ、前記アウタリングの軸方向両端面との間で前記油膜形成隙間に連通する油排出路を形成するサイドプレートと、
を備え、
前記油排出路は絞り部を有する。
【０００７】
上記（１）の構成によれば、上記サイドプレートによって形成された上記油排出路が絞り部を有するため、上記軸受部に加わる回転軸の荷重に対する油膜形成隙間の油膜圧力を増加できる。油膜圧力の増加は油膜形成隙間が小さくなるのと等価な関係にあるため、スクイズフィルムダンパの減衰効果を向上できる。これによって、回転軸系で発生する振動などを抑制でき、回転軸系を安定支持できる。
また、油排出路はアウタリングの軸方向端面とサイドプレートとの間で形成されるので、回転軸系の動きに追従するインナリングの動きを拘束せずに絞り部を形成できる。
【０００８】
（２）一実施形態では、前記（１）の構成において、
前記絞り部は、前記油排出路に設けられるシールリングで構成される。
上記（２）の構成によれば、絞り部がシールリングで構成されるので、回転軸系の動きに追従するインナリングの動きを拘束せずにかつ簡易な構成で絞り部を形成できる。
【０００９】
（３）一実施形態では、前記（２）の構成において、
前記シールリングは前記サイドプレートの前記油排出路を形成する壁面に形成された凹部に収容される。
上記（３）の構成によれば、シールリングはサイドプレートに固定され、サイドプレートの動きに追従する。そのため、絞り部の絞り機能を維持できる。
【００１０】
（４）一実施形態では、前記（２）又は（３）の構成において、
前記シールリングは弾性体で構成される。
上記（４）の構成によれば、シールリングは弾性体で構成されるためロバスト性が得られ、絞り部の隙間管理が容易になる。仮に絞り部の隙間が閉塞しても油膜形成隙間の油膜圧力によって絞り部から油排出が可能になり、油膜形成隙間の油流動性を維持できる。
【００１１】
（５）一実施形態では、前記（１）〜（４）の何れかの構成において、
前記サイドプレートと前記インナリングの軸方向両端面との間に設けられた圧電素子を備え、
前記圧電素子は、前記サイドプレートを前記インナリングに対して前記インナリングの軸方向に動かすことで、前記絞り部の絞り度を調節可能に構成される。
圧電素子は電圧を印加すると変位が生じるために、サイドプレートとインナリングの軸方向両端面との間隔を調節可能である。
上記（５）の構成によれば、上記圧電素子を備えることで、絞り部の隙間調節が可能になり、ロバスト性が得られ、絞り部の隙間管理が容易になる。
【００１２】
（６）一実施形態では、前記（１）〜（５）の何れかの構成において、
前記サイドプレートは前記インナリングの軸方向両端面に固定され、
前記回転軸の振動レベルを検出可能なセンサと、
前記センサで検出した前記振動レベルを周波数解析するための周波数解析器と、
を備え、
前記周波数解析器で得られた振動周波数が前記回転軸の回転周波数の倍数以外の該振動周波数を含むとき、前記スクイズフィルムダンパの機能が異常をきたしていると判定する。
【００１３】
上記（６）の構成によれば、上記周波数解析器で得られた振動周波数が回転軸の回転周波数及びその倍数とは異なる振動周波数を含むとき、インナリングの動きが回転軸から加わる荷重に追従していないことを示している。この原因として、絞り部におけるインナリングとアウタリングとの噛込み、その他何等かの機能障害が起きていると推定される。
【００１４】
（７）一実施形態では、前記（６）の構成において、
前記インナリングと前記アウタリングとの間に周方向に離散的に設けられた弾性部を備え、
前記センサが前記弾性部に設けられた歪ゲージで構成される。
上記歪ゲージで検知される歪みはインナリングの動きによって発生する。従って、この歪みの周期や振幅はインナリングの動きを反映するものである。従って、この歪みの周波数解析を行い、回転軸の回転振動周波数及びその倍数とは異なる振動周波数を含むとき、インナリングの動きが回転軸から加わる荷重に追従していないことを示している。
【００１５】
（８）一実施形態では、前記（６）の構成において、
前記センサが前記インナリングに設けられた加速度センサで構成される。
上記（８）の構成によれば、上記加速度センサでインナリングの動きの加速度を検知することで、インナリングの動きが回転軸から加わる荷重に追従しているかどうかを判定できる。追従していないとき、絞り部のアウタリング面への噛込みなど、何等かの機能障害が起きていると推定できる。
【００１６】
（９）一実施形態では、前記（１）〜（８）の何れかの構成において、
前記油排出路を形成する前記サイドプレートの壁面が前記アウタリングの前記軸方向両端面に外側ほど徐々に接近するように形成され、
前記絞り部は前記壁面の外側先端部で形成されている。
上記（９）の構成によれば、簡単な構成で絞り部を形成できる。
【００１７】
（１０）一実施形態では、前記（１）〜（９）の何れかの構成において、
前記インナリングと前記アウタリングとの間に周方向に離散的に設けられた弾性部を備える。
上記（１０）の構成によれば、上記弾性部を備えることで、スクイズフィルムダンパの剛性は上記弾性部の剛性によって決定できる。従って、スクイズフィルムダンパの剛性と減衰性能とを夫々独立して設定できるため、夫々で減衰効果を増加させるための最適な設定が可能になる。
【００１８】
（１１）一実施形態では、前記（１）〜（１０）の何れかの構成において、
前記軸受部はティルティングパッドを含む。
上記（１１）の構成によれば、ティルティングパッドを含む軸受部の外周側に上記構成のスクイズフィルムダンパを備え、これらの組合せで回転軸を支持できる。これらの組合せで回転軸を安定支持できる。また、ティルティングパッドの周囲に形成される油膜による焼付き防止効果によって回転軸を安定して回転できる。
【００１９】
（１２）一実施形態では、前記（１）〜（１０）の何れかの構成において、
前記軸受部は転がり軸受を含む。
上記（１２）の構成によれば、転がり軸受を含む軸受部の外周側に上記構成のスクイズフィルムダンパを備え、これらの組合せで回転軸を支持できる。これによって、転がり軸受を含む軸受部による低摩擦支持とスクイズフィルムダンパの減衰効果との相乗効果によって、高速回転時においても支持側の剛性を確保しつつ回転軸系で発生する振動等の減衰効果を高めることができ、回転軸を安定支持できる。
【００２０】
（１３）一実施形態に係る回転機械は、
前記回転軸と、
前記（１）〜（１２）の何れかの構成を有する軸受装置と、
を備える。
上記（１３）の構成によれば、スクイズフィルムダンパの減衰効果を向上でき、これによって、回転軸系で発生する振動などを抑制でき、回転軸系を安定支持できる。また、油排出路はアウタリングの軸方向端面とサイドプレートとの間で形成されるので、回転軸系の動きに追従するインナリングの動きを拘束せずに絞り部を形成できる。
【発明の効果】
【００２１】
幾つかの実施形態によれば、上記構成の油排出路を備えることで、スクイズフィルムダンパの減衰効果を高めることができる。
【図面の簡単な説明】
【００２２】
【図１】一実施形態に係る軸受装置の径方向断面図である。
【図２】一実施形態に係る軸受装置の一部の軸方向断面図である。
【図３】一実施形態に係る軸受装置の一部を拡大した軸方向断面図である。
【図４】一実施形態に係る軸受装置の一部の軸方向断面図である。
【図５】一実施形態に係る軸受装置の一部の軸方向断面図である。
【図６】一実施形態に係る軸受装置の異常判定部を示すブロック線図である。
【図７】（Ａ）〜（Ｆ）は幾つかの実施形態に係る弾性部を示し、（Ａ）及び（Ｂ）は断面図であり、（Ｃ）〜（Ｆ）は正面図である。
【発明を実施するための形態】
【００２３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２４】
図１〜図７は幾つかの実施形態に係る軸受装置１０（１０Ａ、１０Ｂ、１０Ｃ）を示す。
図１において、軸受装置１０は、回転軸１２の外周側に軸受部１４を備え、軸受部１４の外周側にスクイズフィルムダンパ１６を備える。軸受部１４は回転軸１２を回転自在に支持する。スクイズフィルムダンパ１６は、少なくとも一つの油膜形成隙間Ｓを挟んで互いに対向するインナリング１８及びアウタリング２０を有する。
図２，４及び５に示すように、軸受装置１０（１０Ａ〜１０Ｃ）において、スクイズフィルムダンパ１６の軸方向両端面にサイドプレート２１（２１ａ、２１ｂ、２１ｃ）が設けられ、アウタリング２０の軸方向両端面との間で油膜形成隙間Ｓに連通する油排出路Ｐｄを形成する。油排出路Ｐｄは絞り部２８（２８ａ、２８ｂ、２８ｃ）を有する。
【００２５】
なお、ここで、「軸方向」とは回転軸１２の軸方向を言い、図２中の矢印ａ方向のことであり、「径方向」とは回転軸１２の径方向を言い、図１中の矢印ｂ方向のことである。
【００２６】
上記構成により、油膜形成隙間Ｓに油供給部（不図示）から油を供給し、油排出路Ｐｄから油を排出させることで、油膜形成隙間Ｓに粘性をもった非圧縮性の油を流動させる。これによって、回転軸１２から加わる荷重を減衰させる減衰効果を得ることができる。この減衰効果によって回転軸系の振動などを抑制し、回転軸系の安定支持が可能になる。
また、絞り部２８（２８ａ〜２８ｃ）を備えることで、軸受部１４に加わる回転軸の荷重に対する油膜形成隙間Ｓの油膜圧力を増加できる。油膜圧力の増加は油膜形成隙間Ｓが小さくなるのと等価な関係にあるため、スクイズフィルムダンパ１６の減衰効果を向上できる。
【００２７】
また、絞り部２８で油の流動量を調節することで、油膜形成隙間Ｓの油膜圧力を調節し、これによって、減衰性能を調節できる。
さらに、油排出路Ｐｄはアウタリング２０の軸方向端面とサイドプレート２１との間で形成されるので、回転軸系の動きに追従するインナリング１８の動きを拘束せずに絞り部２８を形成できる。
【００２８】
油膜形成によって発揮される減衰効果を表す油膜減衰常数Ｃψは次の（１）式から求められる。
【数１】
2019100414.tif 000003
ここで、Ｂ＝１２πμＬ（Ｒ／ｃ）３、μ：油の粘性係数、Ｒ：ダンパ径、Ｌ：ダンパ幅、ｃ：径方向隙間の大きさ、ε：回転軸の偏心量である。
ε＝ｅ／ｃ＝１−δ０／ｃ
ここで、ｅ：回転軸の偏心量、δ０：回転軸の軸受からの浮上量である。
（１）式から、油膜形成隙間の面積が大きいほど油膜減衰常数Ｃψが大きくなり、かつ油膜減衰常数Ｃψは径方向隙間の大きさｃの３乗に比例することがわかる。従って、回転軸１２から軸受装置に付加される圧力が大きくなり、油膜形成隙間Ｓが狭くなると、油膜圧が増加し、油膜減衰常数Ｃψが増加して減衰効果が増す。
【００２９】
一実施形態では、図１に示すように、軸受装置１０は、インナリング１８とアウタリング２０との間に複数の弾性部２２が周方向に離散的に設けられる。弾性部２２を備えることで、スクイズフィルムダンパ１６の剛性は弾性部２２の剛性によって決定できる。従って、スクイズフィルムダンパ１６の剛性と油膜形成による減衰性能とを夫々独立して設定できるため、スクイズフィルムダンパ１６の減衰効果を高めるために、各々で最適な設定が可能になる。
【００３０】
一実施形態では、弾性部２２は回転軸１２の軸方向に延在するように配置されている。この弾性部２２の配置によって回転軸１２の軸方向で均等な弾性力を発揮でき、回転軸１２を回転軸１２の軸方向で均等な弾性力で支持できる。
【００３１】
一実施形態では、図１に示すように、軸受部１４はティルティングパッド２４を含む。ティルティングパッド２４はピボット２５を介してインナリング１８の内側面に接続されている。ティルティングパッド２４はピボット２５を基点として任意の方向へ傾動可能になっている。ティルティングパッド２４には内側面に開口する潤滑油流路（不図示）が形成され、回転軸１２とティルティングパッド２４との間に潤滑油が供給される。
この実施形態によれば、ティルティングパッド２４を含む軸受部の外周側に上記構成のスクイズフィルムダンパ１６を備え、これらの組合せで回転軸１２を支持できる。これによって、転がり軸受を含む軸受部による低摩擦支持とスクイズフィルムダンパ１６の減衰効果との相乗効果によって、高速回転時においても支持側の剛性を確保しつつ回転軸系で発生する振動等の減衰効果を高めることができ、回転軸１２を安定支持できる。
【００３２】
一実施形態では、軸受部１４は転がり軸受を含む。この実施形態によれば、転がり軸受を含む軸受部の外周側に上記構成のスクイズフィルムダンパ１６を備え、これらの組合せで回転軸を支持できる。これによって、転がり軸受を含む軸受部による低摩擦支持とスクイズフィルムダンパ１６の減衰効果との相乗効果によって、高速回転時においても支持側の剛性を確保しつつ回転軸系で発生する振動等の減衰効果を高めることができ、回転軸１２を安定支持できる。
【００３３】
一実施形態では、図２に示すように、軸受装置１０（１０Ａ）の絞り部２８（２８ａ）は、油排出路Ｐｄに設けられるシールリング３０で構成される。シールリング３０は、例えば、Ｏリング又はピストンリングで構成される。
この実施形態によれば、絞り部２８（２８ａ）がシールリング３０で構成されるので、回転軸系の動きに追従するインナリング１８の動きを拘束せずにかつ簡易な構成で絞り部を形成できる。
【００３４】
一実施形態では、シールリング３０はサイドプレート２１（２１ａ）の油排出路Ｐｄを形成する壁面に形成された凹部３２に収容される。
この実施形態によれば、シールリング３０は凹部３２に収容されてサイドプレート２１（２１ａ）に固定され、該サイドプレートの動きに追従する。そのため、絞り部２８（２８ａ）の絞り機能を維持できる。
【００３５】
一実施形態では、シールリング３０は弾性体、例えば弾性ゴムで構成される。シールリング３０が弾性体で構成されるためロバスト性が得られ、絞り部２８（２８ａ）の隙間管理が容易になる。仮に、絞り部２８（２８ａ）の隙間が閉塞しても油膜形成隙間Ｓの油膜圧力によって絞り部２８（２８ａ）から油排出が可能になり、油膜形成隙間Ｓの油流動性を維持できる。
【００３６】
一実施形態では、図４に示すように、軸受装置１０（１０Ｂ）のサイドプレート２１（２１ｂ）とインナリング１８の軸方向両端面との間に圧電素子３４が設けられる。圧電素子３４は電圧を印加すると変位が生じるために、サイドプレート２１（２１ｃ）とアウタリング２０の軸方向両端面との間隔を調節可能である。圧電素子３４は、サイドプレート２１（２１ｂ）をインナリング１８に対してインナリング１８の軸方向に動かすことで、絞り部２８（２８ｂ）の絞り度を調節できる。
この実施形態によれば、圧電素子３４を備えることで、絞り部２８（２８ｂ）の隙間調節が可能になり、ロバスト性が得られ、絞り部２８（２８ｂ）の隙間管理が容易になる。
【００３７】
一実施形態では、図４に示すように、圧電素子３４は板状体に形成される。圧電素子３４が板状体に形成されることで、圧電素子３４をサイドプレート２１（２１ｂ）とインナリング１８の軸方向両端面との間の狭いスペースに収容できる。
【００３８】
一実施形態では、図４に示すように、インナリング１８に対向したサイドプレート２１（２１ｂ）の壁面は、互いに段差を有しかつ平行に配置された平坦な突出面３６ａと凹み面３６ｂとで構成される。絞り部２８（２８ｂ）は突出面３６ａによって容易に形成でき、凹み面３６ｂで形成されるスペースに板状体の圧電素子３４を配置することで、スペースをコンパクト化できる。
【００３９】
一実施形態では、図５に示すように、軸受装置１０（１０Ｃ）は、油排出路Ｐｄを形成するサイドプレート２１（２１ｃ）の壁面がアウタリング２０の軸方向両端面に外側ほど徐々に接近するように形成される。絞り部２８（２８ｃ）部はサイドプレート２１（２１ｃ）の外側先端部で形成される。この実施形態によれば、簡単な構成で絞り部を形成できる。
【００４０】
一実施形態では、図２、図４及び図５に示すように、サイドプレート２１はインナリング１８の軸方向両端面に固定される。そして、図６に示すように、回転軸１２の振動レベルを検出可能なセンサ３８（３８ａ、３８ｂ、３８ｃ）と、該センサで検出した振動レベルを周波数解析するための周波数解析器４０と、を備える。周波数解析器４０で得られた振動周波数が回転軸１２の回転周波数の倍数以外の該振動周波数を含むとき、スクイズフィルムダンパ１６の機能が異常をきたしていると判定する。
【００４１】
この実施形態によれば、周波数解析器４０で得られた振動周波数が回転軸１２の回転周波数及びその倍数とは異なる振動周波数を含むとき、インナリング１８の動きが回転軸１２から加わる荷重に追従していないことを示している。この原因として、絞り部２８におけるインナリング１８とアウタリング２０との噛込み、その他何等かの機能障害が起きていると推定される。
【００４２】
一実施形態では、図６に示すように、センサ３８が弾性部２２に設けられた歪ゲージ３８（３８ａ）で構成される。歪ゲージ３８（３８ａ）で検知される歪みはインナリング１８の動きによって発生するものであるため、この歪みの周期や振幅はインナリング１８の動きを反映するものである。従って、周波数解析器４０でこの歪みの周波数解析を行い、回転軸１２の回転周波数及びその倍数とは異なる振動周波数を含むとき、インナリング１８の動きが回転軸１２から加わる荷重に追従していないことを示している。
【００４３】
一実施形態では、図６に示すように、周波数解析器４０で周波数解析した結果からその原因を判定部４２で判定し、その判定結果を表示部４４に表示する。
【００４４】
一実施形態では、図６に示すように、センサ３８がインナリング１８に設けられた加速度センサ３８（３８ｂ）で構成される。
この実施形態によれば、加速度センサ３８（３８ｂ）でインナリング１８の動きの加速度を検知することで、インナリング１８の動きが回転軸１２から加わる荷重に追従しているかどうかを検知する。追従していないとき、絞り部２８におけるインナリング１８とアウタリング２０との噛込み、その他何等かの機能障害が起きていると推定できる。
【００４５】
一実施形態では、図６に示すように、センサ３８が回転軸１２に設けられ、回転軸１２の振動を検知する振動センサ３８（３８ｃ）で構成される。振動センサ３８（３８ｃ）で回転軸１２の回転周波数を検知すると共に、歪ゲージ３８（３８ａ）又は加速度センサ３８（３８ｂ）で検知したインナリング１８の動きを周波数解析器４０で解析する。インナリング１８の動きが回転軸１２の回転周波数及びその倍数とは異なる振動周波数を含むとき、インナリング１８の動きが回転軸１２から加わる荷重に追従していないことを示しているとき、絞り部２８におけるインナリング１８とアウタリング２０との噛込み、その他何等かの機能障害が起きていると推定できる。
【００４６】
一実施形態では、判定部４２で絞り部２８においてアウタリング２０との噛込みが起こっていると判定したとき、図４に示す軸受装置１０（１０Ｂ）において、圧電素子３４を作動させてサイドプレート２１（２１ｂ）をアウタリング２０の軸方向端面から遠ざけることで、上記噛込みを解消できる。
【００４７】
一実施形態では、図１に示すように、弾性部２２は、インナリング１８とアウタリング２０との間の隙間に配置される。一実施形態では、弾性部２２は、油膜形成隙間Ｓに連通して周方向に離散的に形成された空間Ｓ０に弾性部材が収容されて構成される。空間Ｓ０は軸方向に沿って延在し、空間Ｓ０の径方向寸法は油膜形成隙間Ｓ又は特殊形状隙間Ｓｆの径方向寸法より大きい。一実施形態では、空間Ｓ０は四角形断面を有する。
図７は、弾性部２２の幾つかの実施形態を示す。
【００４８】
図７（Ａ）に示す弾性部２２（２２ａ）は、断面が四角形状の１個の弾性棒状材２６ａが空間Ｓ０に収容され、軸方向に延在する。
図７（Ｂ）に示す弾性部２２（２２ｂ）は、断面が四角形状の１個の弾性棒状材２６ｂが空間Ｓ０に収容され、軸方向に延在する。
図７（Ｃ）に示す弾性部２２（２２ｃ）は、断面が皿バネ形状（円錐台形状）の弾性体を中央が小径となるように２枚重ねにした弾性体２６ｃが空間Ｓ０に収容される。一実施形態では、１個の棒状の弾性体２６ｃが回転軸１２の軸方向に延在する。別な実施形態では、複数の弾性体２６ｃが軸方向に離散的に配置される。この弾性体は中空又は中実で構成されてもよい。
【００４９】
一実施形態では、１個の部材で形成される弾性棒状材２６ａ、２６ｂ及び弾性体２６ｃは、スクイズフィルムダンパ１６の軸方向領域のほぼ全域に配置される。
一実施形態では、弾性棒状材２６ａ、２６ｂ及び弾性体２６ｃは、例えば、弾性ゴムで製造される。
１個の部材で形成される弾性棒状材２６ａ、２６ｂ及び弾性体２６ｃは空間Ｓ０への収容が容易である。
【００５０】
図７（Ｄ）に示す弾性部２２（２２ｄ）は、複数のコイルバネ２６ｄを空間Ｓ０に回転軸１２の軸方向に離散的に配置される。
図７（Ｅ）に示す弾性部２２（２２ｅ）は、断面がＳ字形状をした弾性体２６ｅを空間Ｓ０に収容する。一実施形態では、１個の弾性体２６ｅを空間Ｓ０に軸方向へ延在させる。別な実施形態では、複数の弾性体２６ｅを空間Ｓ０に軸方向に離散的に配置する。
図７（Ｆ）に示す弾性部２２（２２ｆ）は、断面がジグザグ形状をした弾性体２６ｆを空間Ｓ０に収容する。一実施形態では、１個の弾性体２６ｆを空間Ｓ０に軸方向へ延在させる。別な実施形態では、複数の弾性体２６ｆを空間Ｓ０に軸方向に離散的に配置する。
ここで「ジグザグ形状」とは、複数の直線状の線分が端部又は該端部以外の部位で互いに１８０度以外の角度で連続的に接続されている形状を言う。
【００５１】
一実施形態では、インナリング１８とアウタリング２０とは弾性部２２を介して一体に形成される。このとき、一実施形態では、弾性部２２はバネ部材を構成する。
なお、図２〜図５に示す油膜形成隙間Ｓ及び油排出路Ｐｄの大きさは誇張して図示されており、実際は微小な隙間を形成している。
【００５２】
一実施形態に係る回転機械は、回転軸１２と、上記構成を有する軸受装置１０とを備える。
この回転機械によれば、スクイズフィルムダンパ１６の減衰効果を向上でき、これによって、回転軸系で発生する振動などを抑制でき、回転軸系を安定支持できる。また、油排出路Ｐｄはアウタリング２０の軸方向端面とサイドプレート２１との間で形成されるので、回転軸系の動きに追従するインナリング１８の動きを拘束せずに絞り部２８を形成できる。
【産業上の利用可能性】
【００５３】
幾つかの実施形態によれば、スクイズフィルムダンパを備えて回転軸系を回転自在に支承する軸受装置及び該軸受装置を備える回転機械において、スクイズフィルムダンパの減衰効果を向上させることで、回転軸系で発生する振動等を抑制でき、回転軸を安定支持できる。そのため、圧縮機、蒸気タービン等の回転機械に適用されて好適である。
【符号の説明】
【００５４】
１０（１０Ａ、１０Ｂ、１０Ｃ）    軸受装置
１２    回転軸
１４    軸受部
１６    スクイズフィルムダンパ
１８    インナリング
２０    アウタリング
２１（２１ａ、２１ｂ、２１ｃ）    サイドプレート
２２（２２ａ、２２ｂ、２２ｃ、２２ｄ、２２ｅ、２２ｆ）    弾性部
２４    ティルティングパッド
２５    ピボット
２６ａ、２６ｂ    弾性棒状材
２６ｃ、２６ｅ，２４ｆ    弾性体
２６ｄ    コイルバネ
２８（２８ａ、２８ｂ、２８ｃ）    絞り部
３０    シールリング
３２    凹部
３４    圧電素子
３６ａ    突出面
３６ｂ    凹み面
３８（３８ａ、３８ｂ、３８ｃ）    センサ
３８ａ    歪ゲージ
３８ｂ    加速度センサ
３８ｃ    振動センサ
４０    周波数解析器
４２    判定部
４４    表示部
Ｐｄ    油排出路
Ｓ      油膜形成隙間
Ｓ０     空間
【図１】
2019100414.tif 000004
【図２】
2019100414.tif 000005
【図３】
2019100414.tif 000006
【図４】
2019100414.tif 000007
【図５】
2019100414.tif 000008
【図６】
2019100414.tif 000009
【図７】
2019100414.tif 000010